(57)【特許請求の範囲】
【請求項１】
半透明の第１の色の材料で形成され凹凸を有する第１の層が、半透明の第２の色の材料で形成され凹凸を有する第２の層の上に積層されて構成される模型部品であって、
前記第１の層は突起部を有し、前記第２の層は開口を有し、前記突起部が前記開口を貫通することにより、前記第１の層及び前記第２の層が結合され、
前記第１の層は、前記突起部を有する第１の端部とは逆側の第１の裾部を有し、
前記第２の層は、前記開口を有する第２の端部とは逆側の第２の裾部を有し、
前記結合された状態において、前記第１の裾部は前記第２の裾部よりも結合部の近くに位置し、
前記第１の層は、前記第１の裾部における厚みが、前記第１の端部における厚みよりも薄く、
前記第２の層は、前記第２の裾部における厚みが、前記第２の端部における厚みよりも薄く、
前記第１の層と前記第２の層とは不均一な間隔を隔てて積層されている、模型部品。
【請求項２】
前記第１の裾部、及び、前記第２の裾部の各表面には、凸形状の第１の模様が形成され、
前記第１の模様は前記第１の層、及び、前記第２の層の裏側から視認可能である、
請求項１に記載の模型部品。
【請求項３】
前記第１の裾部、及び、前記第２の裾部の各裏面には、凹形状の第２の模様が形成され、
前記第２の模様は前記第１の層、及び、前記第２の層の表側から視認可能である、
請求項２に記載の模型部品。
【請求項４】
前記第１の裾部、及び、前記第２の裾部の各側面には、シボ加工が施されている、請求項１から３のいずれか１項に記載の模型部品。
【請求項５】
前記第２の層は、積層された複数の層により形成され、
前記複数の層のそれぞれは、前記突起部を貫通させるための開口と裾部とを有し、
前記開口と裾部との距離は、前記複数の層のうち下側に位置する層ほど長い、請求項１から４のいずれか１項に記載の模型部品。
【請求項６】
前記材料は、偏光材料を含む、請求項１から５のいずれか１項に記載の模型部品。
【請求項７】
前記偏光材料は偏光パール紛である、請求項６に記載の模型部品。
【請求項８】
前記第１の色、及び、前記第２の色は、互いに同系色、類似色、または、反対色の関係を有する色である請求項１から７のいずれか１項に記載の模型部品。
【請求項９】
前記模型部品は、人形模型のスカートレース部品である請求項１から８のいずれか１項に記載の模型部品。
【発明の詳細な説明】
【技術分野】
【０００１】
本発明は、模型部品に関する。
【背景技術】
【０００２】
いわゆるプラモデル（登録商標）と呼ばれるような組み立て模型の部品（パーツとも言う）、例えば、玩具の顔に着色する際は、一か所一か所、人の手で色を塗ったり、彩色個所に開口部が設けられたマスクを利用してスプレーで塗装したりすることが行われている（特許文献１を参照）。また、複数の印刷機とコンベアを備えた彩色装置を利用して塗装を自動化したものも提案されている（特許文献２を参照）。
【先行技術文献】
【特許文献】
【０００３】
【特許文献１】実公平3-34226号公報
【特許文献２】特開平8-47585号公報
【発明の概要】
【発明が解決しようとする課題】
【０００４】
しかしながら、複数パーツが積層されてなる模型部品において、色の濃度が部位によって変化するようなグラデーションを施すには技量が必要であり、品質を安定させるのは困難である。また、塗装用の彩色装置を用いる場合、追加の設備投資や、設備が大型化するという問題もある。
【０００５】
本発明は、安定した品質でグラデーションを知覚可能な模型部品を提供することを目的とする。
【課題を解決するための手段】
【０００６】
上記課題を解決するための本発明は、模型部品であって、
半透明の第１の色の材料で形成され凹凸を有する第１の層が、半透明の第２の色の材料で形成され凹凸を有する第２の層の上に積層されて構成される模型部品であって、
前記第１の層は突起部を有し、前記第２の層は開口を有し、前記突起部が前記開口を貫通することにより、前記第１の層及び前記第２の層が結合され、
前記第１の層は、前記突起部を有する第１の端部とは逆側の第１の裾部を有し、
前記第２の層は、前記開口を有する第２の端部とは逆側の第２の裾部を有し、
前記結合された状態において、前記第１の裾部は前記第２の裾部よりも結合部の近くに位置し、
前記第１の層は、前記第１の裾部における厚みが、前記第１の端部における厚みよりも薄く、
前記第２の層は、前記第２の裾部における厚みが、前記第２の端部における厚みよりも薄く、
前記第１の層と前記第２の層とは不均一な間隔を隔てて積層されている、模型部品。
【発明の効果】
【０００７】
本発明によれば、安定した品質でグラデーションを知覚可能な模型部品を提供することができる。
【図面の簡単な説明】
【０００８】
【図１】実施形態に対応する模型部品１の構造の一例を説明するための図である。
【図２】実施形態に対応するスカートレース部品２０の構造の一例を説明するための図である。
【図３】実施形態に対応するスカートレース部品２０の断面構造の一例を説明するための図である。
【図４】実施形態に対応するスカートレース部品２０を構成する各層の構造の一例を説明するための図である。
【図５】実施形態に対応するするの各層の面に施された模様の一例を説明するための図である。
【発明を実施するための形態】
【０００９】
以下、発明の例示的な実施形態について図面を参照して説明する。なお、各図において、同じ参照符号は、同じ要素を示している。また、各図において、紙面に対する上下左右方向を、本実施形態における部品（またはパーツ）の上下左右方向として、本文中の説明の際に用いることとする。なお本発明は、以下に説明する実施形態おいて成形材料としてポリスチレンを例示するがこれに限定されず、他の材質（ポリエチレン、ＡＢＳ等の熱可塑性樹脂、熱硬化性樹脂、金属等）の利用を排除するものではない。
【００１０】
図１は、実施形態に対応する模型部品の外観の一例を示す図である。図１（A）から図１（Ｃ）は、本実施形態に対応する人形玩具のスカートの模型部品１の一例を、異なる角度からそれぞれ示す。模型部品１は、スカート部品１０と、スカートレース部品２０とから構成されている。スカートレース部品２０は、最も上側に位置する第１の層２１、中央に位置する第２の層２２、最も下側に位置する第３の層２３の３層が積層されて構成されている。本実施形態では、積総数を３としているが、実施形態は３層に限定されるものではなく、２層であってもよいし、４層以上であってもよい。
【００１１】
図２は、スカートレース部品２０のみの構造の一例を示す図である。図２（Ａ）から図２（Ｃ）は、スカートレース部品の一例を異なる角度からそれぞれ示す。スカートレース部品２０は、第１の層２１の第１の裾部、第２の層２２の第２の裾部、第３の層２３の第３の裾部はそれぞれ位置が異なっており、上側に位置する層ほど裾部が短くなっている。即ち、第１の裾部は第２の裾部よりも短く、第２の裾部は第３の裾部よりも短くなっている。また、第１の層２１、第２の層２２、第３の層２３のそれぞれは全体的に貝殻状の形状を有し、全体的に湾曲しており、かつ、各層の表面及び裏面には凹凸が施されている。当該凹凸により入射した光の反射方向が異なるために、見る方向に応じた陰影が形成される。
【００１２】
図３は、スカートレース部品２０の断面構造を説明するための図である。図３（Ａ）は、スカートレース部品２０を横からみた場合の外観の一例を示す。ここでＸＹＺの座標系が図３（Ａ）に示すように適用される。このとき、図３（Ｂ）はスカートレース部品２０のＸＹ平面における断面の一例を示し、図３（Ｃ）はスカートレース部品２０のＹＺ平面における断面の一例を示す。
【００１３】
図３（Ｂ）に示すように、点線で囲んだ、第１の層２１の第１の端部、第２の層２２の第２の端部、第３の層２３の第３の端部の各端部の厚みは、実線で囲んだ第１の層２１の第１の裾部、第２の層２２の第２の裾部、第３の層２３の第３の裾部の厚みよりも厚く形成されている。本明細書において「端部」とは、各層の先端を含む所定の領域のことを総称するものとし、「裾部」とは、各層において「端部」と反対側に位置し、かつ、先端を含む所定の領域を総称するものとする。
【００１４】
第１の層２１、第２の層２２、第３の層２３のそれぞれは、端部から裾部の先端にかけて徐々に厚みが減少していく（薄くなっていく）ように形成されてもよいし、端部から裾部の先端近傍または先端周辺まではほぼ同じ厚みを維持し、裾部の先端近傍または先端周辺から先端にかけて厚みが減少していくように形成されてもよい。
【００１５】
また、図３（Ｃ）に示すように、第１の層２１、第２の層２２、及び第３の層２３の表面には細かい凹凸が形成されている。この凹凸により、第１の層２１と第２の層２２との間隔、第２の層２２と第３の層２３との間隔が不均一となり、かつ、部位によって間隔が異なることで、スカートレース部品２０を表側、或いは、裏側から見たときにグラデーションを知覚することが可能となる。
【００１６】
図４はスカートレース部品２０を構成する各層の裏面の構造の一例を示す図である。図４（Ａ）は、第１の層２１の裏面の構造の一例を示す。第１の層２１の裏面には、他の層と結合するための突起部４１が２つ設けられている。図４（Ｂ）は、第２の層２２の裏面の構造の一例を示す。第２の層２２には、第１の層２１の突起部４１が貫通する開口４２が２つ設けられている。同様に、第２の層２３にも、第１の層２１の突起部４１が貫通する開口４３が２つ設けられている。突起部４１は、開口４２を介して開口４３を貫通することにより、第１の層２１から第３の層２３が結合する。
【００１７】
図５は、スカートレース部品２０の裾部に施された模様の一例を示す図である。図５（Ａ）は、第１の層２１、第２の層２２、第３の層２３の各裾部の表面に施された模様の一例を示す。模様５１は凸部（凸形状）により表現されているが、模様自体はどのような形態であってもよい。また、裾部の先端を構成する側面５２にはシボ加工が施されている。なお、シボ加工は側面５２だけでなく第１の層２１、第２の層２２、第３の層２３の各裾部の裏面に全体に施しても良い。このことにより、レース編みが裾に施されているような表現をスカートレース部品２０の裾部上で行うことができる。なお、スカートレース部品２０の各層は、半透明の材料により形成されているため、模様５１は、各層の表側だけでなく、裏側からも視認可能に形成されている。
【００１８】
図５（Ｂ）は、第１の層２１、第２の層２２、第３の層２３の各裾部の裏面に施された模様の一例を示す。模様５２は凹部（凹形状）により表現されているが、模様自体はどのような形態であってもよい。スカートレース部品２０の各層は、半透明の材料により形成されているため、模様５２は、各層の裏側だけでなく、表側からも視認可能に形成されている。
【００１９】
また、図５（Ａ）から図５（Ｃ）に示すように、第１の層２１、第２の層２２及び第３の層２３を結合するための突起部４１、開口４２、開口４３と、対応する裾部との距離は、各層において互いに異なっている。具体的に、突起部４１と第１の裾部との距離が最も短く、開口４３と第３の裾部との距離が最も長く、開口４２と第２の裾部との距離はその中間である。
【００２０】
上記の実施形態において、第１の層２１、第２の層２２、及び、第３の層２３の成形材料（素材）としては、例えば半透明（または透明）の汎用ポリスチレン（GPPS）を使用することができる。各層の色は同系色、類似色、または、反対色の関係を有する色であってもよい。また、成形材料には、偏光材料、例えば偏光パール紛が含まれていてもよい。これにより、グラデーション効果をより顕著なものとすることができる。また、スカートレース部品２０の各層を成形するための成形材料として、一部に不透明のポリスチレン（ＰＳ）または強化ポリスチレン（KPS）を使用してもよい。例えば、いずれか１層のみを不透明の材料により形成してもよい。また、上記実施形態は、レース以外にもシフォンやオーガンジー等の透け感のある素材の表現に利用可能である。上記実施形態においてスカートレース部品とは、そのような透け感のある素材を模した部品のことをいう。また、上記実施形態は、スカート以外にも様々なものに適用可能であり、例えばＴシャツやジャケット等の衣服やアクセサリー等の装身具などを模した部品に適用しても良い。
【００２１】
以上のように、本実施形態によれば、安定した品質でグラデーションが施された模型部品を提供することできる。
【要約】
【課題】安定した品質でグラデーションを知覚可能な模型部品を提供する。
【解決手段】半透明の第１の色の材料で形成され凹凸を有する第１の層が、半透明の第２の色の材料で形成され凹凸を有する第２の層の上に積層されて構成される模型部品であって、前記第１の層は突起部を有し、前記第２の層は開口を有し、前記前記突起部が前記開口を貫通することにより、前記第１の層及び前記第２の層が結合される。
【選択図】図１【図１】
0006841887.tif 000002
【図２】
0006841887.tif 000003
【図３】
0006841887.tif 000004
【図４】
0006841887.tif 000005
【図５】
0006841887.tif 000006